(57)【要約】【課題】フォークリフトのパレット等の上に多数の段ボール箱を段積み状態に積載して運搬する際や地震等の大きな振動が生じたときでも、横方向のみならず奥行き方向の横滑りや荷崩れが生じないように積載することが可能な段ボール箱を提供する。【解決手段】直方体形状の段ボール箱を構成する左右の上フラップの各罫線に沿って所定間隔を開けてコ字形の切込みを形成し、段ボール箱を組み立てた際に直角に折り曲げた罫線に沿って、各コ字形の切込みが上方に起立する突起片を形成する一方、左右の底フラップで構成する段ボール箱の底面の面内における四方の所定箇所に、該段ボール箱の各短辺に沿う方向に長形の切抜き穴を所定間隔で２個ずつ形成した構成とし、上段の段ボール箱と下段の段ボール箱との各長辺と各短辺との方向を直角方向に違えて交互に重なり合う状態で積載したとき、下段の段ボール箱の突起片が上段の段ボール箱の切抜き穴に係合するようにした。【選択図】図１
2012206748.tif 000002
【特許請求の範囲】
【請求項１】
直方体形状の段ボール箱を構成する左右の上フラップの各罫線に沿って所定間隔を開けてコ字形の切込みを形成し、段ボール箱を組み立てた際に直角に折り曲げた罫線に沿って、各コ字形の切込みが上方に起立する突起片を形成する一方、
左右の底フラップで構成する段ボール箱の底面の面内における四方の所定箇所に、該段ボール箱の各短辺に沿う方向に長形の切抜き穴を所定間隔で２個ずつ形成した構成とし、
上段の段ボール箱と下段の段ボール箱との各長辺と各短辺との方向を直角方向に違えて交互に重なり合う状態で積載したとき、下段の段ボール箱の突起片が上段の段ボール箱の切抜き穴に係合するようにしたことを特徴とする段ボール箱。
【請求項２】
直方体形状の段ボール箱を構成する左右の上フラップの各罫線に沿って所定間隔を開けてコ字形の切込みを形成し、段ボール箱を組み立てた際に直角に折り曲げた罫線に沿って、各コ字形の切込みが上方に起立する突起片を形成する一方、
左右の底フラップで構成する段ボール箱の底面の面内における四方の所定箇所に、該段ボール箱の各短辺に沿う方向に長形の切抜き穴を所定間隔で２個ずつ形成すると共に、各切抜き穴が、段ボール箱を並列した状態で２枚重ねにした突起片を挿着可能な幅広に形成した構成とし、
下段の段ボール箱を並列した状態にして、該下段のダンボール箱と上段の段ボール箱との各長辺と各短辺の方向を直角方向に違えて交互に重なり合う状態で積載することにより、下段の段ボール箱を並列に重ね合わせた際に合致する２枚の突起片が上段の段ボール箱の切抜き穴に係合するようにしたことを特徴とする段ボール箱。
【請求項３】
左右の底フラップで構成する段ボール箱の底面の面内における四方の所定箇所に、該段ボール箱の各短辺に沿う方向に長形の切抜き穴を所定間隔で２個ずつ形成すると共に、各２個ずつ形成した切抜き穴の間に、段ボール箱の長辺に沿う方向に長い切抜き穴を形成したことを特徴とする請求項２記載の段ボール箱。
【請求項４】
段ボール箱の底フラップに形成された切抜き穴は、段ボール箱の左右の内側底フラップによって閉塞されたことを特徴とする請求項１、２又は３記載の段ボール箱。
【発明の詳細な説明】
【技術分野】
【０００１】
本発明は、フォークリフトに取り付けたパレット等の上に多数の段ボール箱を段積み状態に積載して運搬する際や地震等の大きな振動が生じた際でも、横方向のみならず奥行き方向の横滑りや荷崩れが生じないように積載することができる段ボール箱に関する。
【背景技術】
【０００２】
段ボール箱を段積み状態に積み重ねる方法としては、レンガ積みと称される段ボール箱の積載方法が知られている。この段ボール箱のレンガ積みは、建築用レンガの段組方法のように、上段と下段の段ボール箱が交互に重なり合うように積み重ねたものである。
【０００３】
ところで、段ボール箱の四方の側面を合わせて上下方向に整然と積み重ねた、所謂棒積み状態の場合、例えば横方向からの外力が作用すると、段ボール箱は棒積み状態で倒れてしまい、その結果、段ボール箱に収容した物品を傷つけてしまうおそれがあった。
【０００４】
ところが、段積み状態の段ボール箱を、建築用のレンガ積みのように、上段の段ボール箱と下段の段ボール箱が交互に重なり合うように積載した場合、上段の段ボール箱と下段の段ボール箱が互いの摩擦力で抵抗しあうため、棒積み状態のように一挙に倒伏することがない。
【０００５】
しかしながら、段積み状態の段ボール箱をパレットに積載してフォークリフト等によって運搬する際、強い振動や衝撃等が生じると、上段の段ボール箱と下段の段ボール箱との間で滑りが生じ、横ずれや荷崩れを起こすおそれがあった。
【０００６】
このような段ボール箱間の滑りを防止するための対応策としては、従来から段ボール箱の表面に防滑ニスを塗布することが行われている。ところが、この防滑ニスは温度や湿度の影響を受けやすく、特に低温乾燥によって防滑ニスが乾燥状態になると、滑りを防止するための十分な防滑効果が得られないという欠点があった。
【０００７】
また、従来の技術として、下記の特許文献１に記載の段ボール箱は、段ボール箱の側板に補助側板を接着し、各補助側板の上端縁に台形状の係合凸部を設けると共に、各補助側板の下端縁に台形状の係合凹部を設けた構造を有する。
【０００８】
このような段ボール箱によると、下段の段ボール箱の上端縁の係合凸部に上段の段ボール箱の下端縁の係合凹部を係合させることによって、下段の段ボール箱に対する上段の段ボール箱の横滑りを防止することが可能となる。
【０００９】
しかしながら、この段ボール箱の積載構造は、係合凸部又は係合凹部が設けられた補助側板に沿う方向のみにレンガ積みを可能とするものであり、補助側板が設けられていない側板に沿う方向にレンガ積みを行う構造とはされていない。
【００１０】
従って、上記の特許文献１の段ボール箱では、特に、段ボール箱をフォークリフト等に設けたパレットに積載して運搬するときのように、横方向のみならず奥行き方向の横滑りや荷崩れを防止することによって、段ボール箱に収容した物品に損傷が生じないようにすることは困難であった。
【先行技術文献】
【特許文献】
【００１１】
【特許文献１】特開２００８−１１０７８６号公報
【発明の概要】
【発明が解決しようとする課題】
【００１２】
本発明は、上記の事情に鑑みてなされたものであり、フォークリフトのパレット等の上に多数の段ボール箱を段積み状態に積載して運搬する際や地震等の大きな振動が生じた際でも、横方向のみならず奥行き方向の横滑りや荷崩れが生じないように積載することが可能な段ボール箱を提供することを目的とする。
【課題を解決するための手段】
【００１３】
上記の目的を達成するために、本発明の請求項１の段ボール箱は、直方体形状の段ボール箱を構成する左右の上フラップの各罫線に沿って所定間隔を開けてコ字形の切込みを形成し、段ボール箱を組み立てた際に直角に折り曲げた罫線に沿って、各コ字形の切込みが上方に起立する突起片を形成する一方、左右の底フラップで構成する段ボール箱の底面の面内における四方の所定箇所に、該段ボール箱の各短辺に沿う方向に長形の切抜き穴を所定間隔で２個ずつ形成した構成とし、上段の段ボール箱と下段の段ボール箱との各長辺と各短辺との方向を直角方向に違えて交互に重なり合う状態で積載したとき、下段の段ボール箱の突起片が上段の段ボール箱の切抜き穴に係合するようにしたことを特徴とする。
【００１４】
また、本発明の請求項２の段ボール箱は、直方体形状の段ボール箱を構成する左右の上フラップの各罫線に沿って所定間隔を開けてコ字形の切込みを形成し、段ボール箱を組み立てた際に直角に折り曲げた罫線に沿って、各コ字形の切込みが上方に起立する突起片を形成する一方、左右の底フラップで構成する段ボール箱の底面の面内における四方の所定箇所に、該段ボール箱の各短辺に沿う方向に長形の切抜き穴を所定間隔で２個ずつ形成すると共に、各切抜き穴が、段ボール箱を並列した状態で２枚重ねにした突起片を挿着可能な幅広に形成した構成とし、下段の段ボール箱を並列した状態にして、該下段のダンボール箱と上段の段ボール箱との各長辺と各短辺の方向を直角方向に違えて交互に重なり合う状態で積載することにより、下段の段ボール箱を並列に重ね合わせた際に合致する２枚の突起片が上段の段ボール箱の切抜き穴に係合するようにしたことを特徴とする。
【００１５】
また、本発明の請求項３の段ボール箱は、請求項２において、左右の底フラップで構成する段ボール箱の底面の面内における四方の所定箇所に、該段ボール箱の各短辺に沿う方向に長形の切抜き穴を所定間隔で２個ずつ形成すると共に、各２個ずつ形成した切抜き穴の間に、段ボール箱の長辺に沿う方向に長い切抜き穴を形成したことを特徴とする。
【００１６】
さらに、本発明の請求項４の段ボール箱は、請求項１、２又は３において、段ボール箱の底フラップに形成された切抜き穴は、段ボール箱の左右の内側底フラップによって閉塞されたことを特徴とする。
【発明の効果】
【００１７】
上記の本発明において、請求項１の段ボール箱の構造によれば、上段の段ボール箱と下段の段ボール箱との各長辺と各短辺との方向を直角方向に違えて交互に重なり合う状態で積載したとき、下段の段ボール箱の突起片が上段の段ボール箱の切抜き穴に係合させることができる。
【００１８】
このような請求項１の段ボール箱の構造は、例えば、フォークリフトに取り付けたパレットの上に、下段の段ボール箱を４個ずつ互いに直角方向に違えて配置すると共に、上段の段ボール箱を段毎に４個ずつ互いに直角方向に違えて配置し、これらの上下段の段ボール箱の位相を変えた積載状態にして、下段の段ボール箱の突起片が上段の段ボール箱の切抜き穴に係合した積載構造とすることにより、所望の段数に積載することが可能となる。
【００１９】
このような積載構造によれば、多数の段ボール箱をフォークリフトに取り付けたパレット上に積載した場合や地震等の振動が生じた場合、横方向からの外力が作用したり、段ボール箱の積載構造全体を傾斜させるような状況になっても、各段ボール箱の横滑りや荷崩れを効率的に防止することが可能であり、各段ボール箱の内容物を傷つけずに搬送又は保管することが可能となる。
【００２０】
また、請求項２の段ボール箱の構造によれば、下段の段ボール箱を２個ずつ並列した状態にして、該下段のダンボール箱と上段の段ボール箱との各長辺と各短辺の方向を直角方向に違えて交互に重なり合う状態で積載することにより、下段の２個の段ボール箱を並列状態に重ね合わせた際に合致する２枚の突起片が上段の段ボール箱の切抜き穴に係合することが可能である。
【００２１】
このような積載構造によれば、２個の並列した段ボール箱を一組として、４個配置の積載構造に適用することによって、段毎に８個の段ボール箱を配置し、この８個配置を下段として、その上に上段の８個配置の段ボール箱を載置する。また、これらの上下段の段ボール箱の位相を変えた積載状態にして、下段の２個の段ボール箱を並列状態に重ね合わせた際に合致する突起片が上段の段ボール箱の幅広の切抜き穴に係合した積載構造とすることにより、所望の段数に積載することが可能となる。
【００２２】
このような構成においても、多数の段ボール箱をフォークリフトに設けたパレット上に積載した場合や地震等が発生した場合に、横方向からの外力や振動、さらには積載構造全体を傾斜させるような状況になっても、段ボール箱の横滑りや荷崩れを効率的に防止することが可能であり、各段ボール箱の内容物を傷つけずに搬送又は保管することが可能となる。
【図面の簡単な説明】
【００２３】
【図１】本発明の実施例１における段ボール箱の全体斜視図である。
【図２】本発明の実施例１における段ボール箱の組み立て前の展開状態を示す平面図である。
【図３】（ａ）は本発明の実施例１におけるコ字形の切込みを示す部分平面図であり、 (ｂ)はコ字形の切込みを起立することによって突起片を形成した部分斜視図である。
【図４】（ａ）は本発明の実施例１における段ボール箱の上面図であり、(ｂ)は本発明の実施例１における段ボール箱の底面図であり、(ｃ)は２個の段ボール箱を互いに直角方向に違えた配置状況で積載した状態を示す平面図である。
【図５】本発明の実施例１における上下段の段ボール箱を互いに直角方向に異なる配置状況で積載する際の斜視図であり、（ａ）は積載前の状況を示し、(ｂ)は積載後の状況を示す。
【図６】本発明の実施例１における段ボール箱を上下段に４個ずつ配置すると共に、上下段の段ボール箱の位相を互い違いに変えて積載する場合の平面図であり、（ａ）は下段の段ボール箱の４個配置状態を示し、(ｂ)は上段の段ボール箱の４個配置状態を示す。
【図７】本発明の実施例２における段ボール箱の全体斜視図である。
【図８】本発明の実施例２における段ボール箱の組み立て前の展開形状を示す平面図ある。
【図９】（ａ）は本発明の実施例２における段ボール箱の上面図であり、(ｂ)は底面図であり、(ｃ)は並列した下段の２個の段ボール箱の上段に、下段の段ボール箱に対して直角方向を向く段ボール箱を積載した状態を示す平面図である。
【図１０】（ａ）は本発明の実施例２における２個の段ボール箱を並列した下段の段ボール箱の上段に、下段の段ボール箱に対して直角方向を向く段ボール箱を積載する前の状態を示す斜視図であり、(ｂ)は２段構成の８個配置状態を組み立てる途中の状態を示す斜視図である。
【図１１】本発明の実施例２における段ボール箱を上下段に８個ずつ配置すると共に、上下段の段ボール箱の位相を互い違いに変えて積載する場合の平面図であり、（ａ）は下段の段ボール箱の８個配置状態を示し、(ｂ)は上段の段ボール箱の８個配置状態を示す。
【図１２】本発明の他の実施例を示す図であり、（ａ）は段ボール箱の長辺に沿う方向に長い切抜き穴を形成した構造において、段ボール箱をレンガ積みの状態で段積みする前の状態を示す斜視図であり、(ｂ)は段積みした状態を示す斜視図である。
【発明を実施するための形態】
【００２４】
以下、本発明の実施例について図面を参照しながら説明する。
【実施例１】
【００２５】
本実施例の段ボール箱１は、図１に示すように、各側面２と上面３と底面４が長方形又は正方形からなる直方体形状から構成されている。このような形状の段ボール箱１は、図２に示す展開形状のように、連続的に形成された四側面２ａ、２ｂ、２ｃ、２ｄが折り曲げ自在の罫線５ａ、５ｂ、５ｃで仕切られ、この四側面２ａ、２ｂ、２ｃ、２ｄの端辺には接着片６が形成されている。このような構成により、四側面２ａ、２ｂ、２ｃ、２ｄの夫々を罫線５ａ、５ｂ、５ｃに沿って直角に折り曲げると共に、接着片６を対向する側面の端部に接合する。
【００２６】
また、図２に示す展開形状において、各側面２ａ、２ｂ、２ｃ、２ｄの上辺は折り曲げ自在の罫線7ａ、７ｂ、７ｃ、７ｄで仕切られると共に、長辺側の各側面２ａ、２ｃの上辺には左右の上フラップ８ａ、８ｃが形成され、短辺側の各側面２ｂ、２ｄの上辺には左右の内側上フラップ８ｂ、８ｄが形成されている。
【００２７】
これと同様に、各側面２ａ、２ｂ、２ｃ、２ｄの下辺は折り曲げ自在の罫線９ａ、９ｂ、９ｃ、９ｄで仕切られ、長辺側の各側面２ａ、２ｃの下辺には左右の底フラップ１０ａ、１０ｃが形成され、短辺側の各側面２ｂ、２ｄの下辺には内側底フラップ１０ｂ、１０ｄが形成されている。
【００２８】
このような図２に示す展開形状の段ボール箱１をフォルダグルア機で加工する際、本実施例では、左右の上フラップ８ａ、８ｃの両方の長辺側罫線７ａ、７ｃに沿って所定間隔を開けてコ字形の切込み１１ａ、１１ｂ、１１ｃ、１１ｄを形成する。即ち、展開状態の段ボール箱の折り畳み加工と糊付け加工とを行うフォルダグルア機を使用して、図２に示す通常の段ボール箱の展開形状を形成し、それに加えてコ字形の切込み１１ａ、１１ｂ、１１ｃ、１１ｄを加工する。
【００２９】
これらのコ字形の切込み１１ａ、１１ｂ、１１ｃ、１１ｄは、図２又は図３(ａ)に示すように、切り込みのない繋ぎ部１２を段ボール箱１の側面側２ａ、２ｃに設け、コ字形の切り込み線のうち、両側の直線状の切込み線１２ａ、１２ｂは各罫線７ａ、７ｃを直角に交差した状態で形成することにより、図１又は図３(ｂ)に示すように、段ボール箱１を組み立てた際に直角に折り曲げた罫線７ａ、７ｃに沿って、各コ字形の切込み１１ａ、１１ｂ、１１ｃ、１１ｄが上方に起立することによって突起片１３ａ、１３ｂ、１３ｃ、１３ｄを形成する。
【００３０】
また、図１、図２及び図４に示すように、左右の底フラップ１０ａ、１０ｃで構成する段ボール箱１の底面４の面内における四方であって、各底フラップ１０ａ、１０ｃの短辺１４ａ、１４ｂ、１４ｃ、１４ｄ付近における所定箇所に、各短辺に沿って長形の切抜き穴１５ａ〜１５ｈを所定間隔で２個ずつ形成する。夫々の切抜き穴１５ａ〜１５ｈは、上記の各突起片１３ａ、１３ｂ、１３ｃ、１３ｄを挿入して係合することができる大きさで長形に形成されている。
【００３１】
さらに、本実施例において、上記の段ボール箱１の左右の底フラップ１０ａ、１０ｃに形成された切抜き穴１５ａ〜１５ｈは、段ボール箱１の左右の内側底フラップ１０ｂ、１０ｄによって閉塞された構成とされている。このような構成により、段ボール箱１の左右の底フラップ１０ａ、１０ｃに切抜き穴１５ａ〜１５ｈが形成されていても、内側底フラップ１０ｂ、１０ｄによって切抜き穴１５ａ〜１５ｈが閉塞されているため、段ボール箱１の内部に収納された物品は外方へ露呈することがない。
【００３２】
ここで、図４(ａ)〜(ｃ)を参照しながら、上記の切抜き穴１５ａ〜１５ｈと突起片１３ａ、１３ｂ、１３ｃ、１３ｄの位置関係について説明する。
【００３３】
図４（ａ）は本発明の実施例１における段ボール箱１の上面図である。左右の上フラップ８ａ、８ｃの両方の長辺側罫線７ａ、７ｃに沿って所定間隔を開けて形成した突起片１３ａ、１３ｂ、１３ｃ、１３ｄは、短辺側の側面２ｄの端縁から各突起片１３ａ、１３ｂ、１３ｃ、１３ｄの中心までの幅がαとなるように形成されている。また、この幅αの値は、各上フラップ８ａ、８ｃの長辺側罫線７ａ、７ｃの全体長を略四分割した値に相当するものである。従って、各上フラップ８ａ、８ｃの長辺側罫線７ａ、７ｃに設けられた２個の突起片１３ａ、１３ｂ、及び２個の突起片１３ｃ、１３ｄの各離間幅は略２αとなる。
【００３４】
一方、図４(ｂ)は本発明の実施例１における段ボール箱１の底面図である。この図に示すように、左右の底フラップ１０ａ、１０ｃで構成する段ボール箱１の底面の面内における四方であって、各底フラップ１０ａ、１０ｃの両側の短辺側の側面２ｂ、２ｄの端縁から幅βだけ離間して、各短辺１４ａ、１４ｂ、１４ｃ、１４ｄに沿って長形の切抜き穴１５ａ〜１５ｈを２個ずつ形成する。
【００３５】
そして、この２個の切抜き穴１５ａ〜１５ｈのうち、底面の長辺側の端縁から底面の内方側の切抜き穴１５ａ、１５ｃ、１５ｅ、１５ｇまでの幅をαとして、底面の長辺側の側面２ａ、２ｃの端縁から底面の内方側の切抜き穴１５ａ、１５ｃ、１５ｅ、１５ｇの間に、もう１個ずつの切抜き穴１５ｂ、１５ｄ、１５ｆ、１５ｈを形成する。
【００３６】
このような寸法関係において、図４(ｃ)及び図５（ａ）、(ｂ)に示すように、２個の段ボール箱１、１を互いに直角方向に異なる配置状況で積載すると共に、上下の各段ボール箱１、１の隣設２辺をそろえて配置した場合、下段の段ボール箱１の一方の長辺側罫線に沿って設けられた２個の突起片１３ｃ、１３ｄが上段の段ボール箱１の左右の底フラップ１０ａ、１０ｃに設けられた切欠き穴１５ｆ、１５ｇに挿着され係合された状態となる。
【００３７】
そして、図４(ｃ)及び図５(ｂ)に示す配置関係を応用して、図６(ａ)に示すように、下段の段ボール箱１の方向を互いに直角方向に違えて４個ずつ配置すると共に、図６(ｂ)に示すように、上段の段ボール箱１の方向を互いに直角方向に違えて４個ずつ配置し、上下段の段ボール箱１の位相を互い違いに変えた状態で積載する。
【００３８】
このような構成において、上段の４個配置の段ボール箱１、１…に対して位相を変えて、さらにその上段の４個配置の段ボール箱１、１…を積載し、これと同様の手順で、さらに上段の積載構造にすることも可能である。
【００３９】
本実施例によれば、上記のようにいずれの段数に構成しても、任意の上下段の段ボール箱１、１は互いに下段の段ボール箱１の突起片１３ａ、１３ｂ、１３ｃ、１３ｄが上段の段ボール箱１の切抜き穴１５ｂ、１５ｄ、１５ｆ、１５ｈに係合することによって、横方向からの外力や振動、さらには積載構造全体を傾斜させるような状況となっても、各段ボール箱１の横滑りや荷崩れを効率的に防止することが可能となる。
【実施例２】
【００４０】
本実施例の段ボール箱１は、実施例１の段ボール箱１の切抜き穴１５ｂ、１５ｄ、１５ｆ、１５ｈの構成が異なるだけであり、左右の上フラップ８ａ、８ｃの両方の長辺側罫線７ａ、７ｃに沿って所定間隔を開けてコ字形の切込み１１ａ、１１ｂ、１１ｃ、１１ｄを形成すると共に、起立片１３ａ、１３ｂ、１３ｃ、１３ｄを形成する構造や、その他の構成は、実施例１と同様である。
【００４１】
本実施例における切抜き穴１６ａ〜１６ｈの構成は、左右の底フラップ１０ａ、１０ｃで構成する段ボール箱１の底面の面内における四方の所定箇所に、底フラップ１０ｂ、１０ｃの各短辺１４ａ、１４ｂ、１４ｃ、１４ｄに沿う方向に長形の切抜き穴１６ａ〜１６ｈを所定間隔で２個ずつ形成したものである。また、各切抜き穴１６ａ〜１６ｈは、２個の段ボール箱１を並列した状態で２枚重ねにした突起片１３ａ、１３ｄ、又は１３ｂ、１３ｃを挿着可能な幅広に形成した構成としている。
【００４２】
このような構成によれば、図１０（ａ）、(ｂ)に示すように、下段の段ボール箱１を２個ずつ並列した状態にして、該下段のダンボール箱１と上段の段ボール箱１との各長辺と各短辺の方向を直角方向に違えて交互に重なり合う状態で積載することにより、下段の２個の段ボール箱１、１を並列状態に重ね合わせた際に合致する２枚の突起片１３ａ、１３ｄ、又は１３ｂ、１３ｃが上段の段ボール箱の切抜き穴として、例えば１６ｄ、１６ｃに係合することが可能となる。
【００４３】
このような積載構造によれば、図１１に示すように、２個の並列した段ボール箱１、１を一組として、実施例１に示す４個配置の積載構造に適用することにより、段毎に８個の段ボール箱１、１…を配置し、この８個配置を下段として、その上に上段の８個配置の段ボール箱を載置することができる。
【００４４】
そして、図１１（ａ）、(ｂ)に示すように、これらの上下段の段ボール箱１、１の位相を変えた積載状態にして、下段の２個の段ボール箱１、１を並列状態に重ね合わせた際に合致する突起片１３ａ、１３ｄ、又は１３ｂ、１３ｃが上段の段ボール箱１の幅広の切抜き穴１６ａ〜１６ｈの対応するものに係合した積載構造とすることにより、所望の段数に積載することが可能となる。
【００４５】
このような本実施例においても、多数の段ボール箱１、１…をフォークリフトに設けたパレット上に積載した場合や地震等が発生した場合に、横方向からの外力や振動、さらには積載構造全体を傾斜させるような状況になっても、段ボール箱の横滑りや荷崩れを効率的に防止することが可能であり、各段ボール箱の内容物を傷つけずに搬送又は保管することが可能となる。
【００４６】
さらに、図１２（ａ）、（ｂ）は、本実施例２の他の実施例を示すものである。この図に示す段ボール箱１は、図７、８、９に示すように、左右の底フラップ１０ａ、１０ｃで構成する段ボール箱１の底面の面内における四方の所定箇所に、該段ボール箱１の各短辺に沿う方向に長形の切抜き穴１５ａ〜１５ｈを所定間隔で２個ずつ形成すると共に、各２個ずつ形成した切抜き穴１５ａ〜１５ｈの間に、段ボール箱１の長辺に沿う方向に長い切抜き穴１７ａ、１７ｂ、１７ｃ、１７ｄを形成したものである。
【００４７】
このような構成においては、図１２（ａ）に示すように、下段の段ボール箱１を連続的に並列した構成とすることにより、隣設する段ボール箱１の突起片１３ａ、１３ｄ又は１３ｂ、１３ｃ同士を重ね合わせ、この重ね合わせた突起片１３ａ、１３ｄ又は１３ｂ、１３ｃに上段の各段ボール箱１の切抜き穴１７ａ、１７ｂ又は１７ｃ、１７ｄを挿入して係合状態とすることにより、レンガ積みの状態で複数の段ボール箱を上段に積み上げた状態とすることが可能となり、段ボール箱の横滑りや荷崩れを効率的に防止することが可能となる。
【産業上の利用可能性】
【００４８】
本発明の段ボール箱は、フォークリフトのパレット等の上に多数の段ボール箱を段積み状態に積載して運搬する際や地震等の大きな振動が生じた際でも、横方向のみならず奥行き方向の横滑りや荷崩れが生じないように積載することが可能な段ボール箱として利用可能である。
【符号の説明】
【００４９】
１  段ボール箱
２  側面
２ａ、２ｂ、２ｃ、２ｄ  四側面
３  上面
４  底面
５ａ、５ｂ、５ｃ  罫線
６  接着片
7ａ、７ｂ、７ｃ、７ｄ  罫線
８ａ、８ｃ  上フラップ
９ａ、９ｂ、９ｃ、９ｄ  罫線
１０ａ、１０ｃ  底フラップ
１０ｂ、１０ｄ  内側底フラップ
１１ａ、１１ｂ、１１ｃ、１１ｄ  コ字形の切込み
１３ａ、１３ｂ、１３ｃ、１３ｄ  突起片
１４ａ、１４ｂ、１４ｃ、１４ｄ  底フラップの短辺
１５ａ〜１５ｈ  切抜き穴
１６ａ〜１６ｈ  切抜き穴
１７ａ、１７ｂ、１７ｃ、１７ｄ  切抜き穴
【図１】
2012206748.tif 000003
【図２】
2012206748.tif 000004
【図３】
2012206748.tif 000005
【図４】
2012206748.tif 000006
【図５】
2012206748.tif 000007
【図６】
2012206748.tif 000008
【図７】
2012206748.tif 000009
【図８】
2012206748.tif 000010
【図９】
2012206748.tif 000011
【図１０】
2012206748.tif 000012
【図１１】
2012206748.tif 000013
【図１２】
2012206748.tif 000014